(57)【要約】【課題】防火扉を収納状態にする際に、フックプレートを露出させた切欠開口部を傷付けず、衝撃荷重に耐えて、動作を安定化し、高寿命化が図れる防火扉用自動閉鎖装置を提供する。【解決手段】壁面などに取り付けられる本体ハウジング１の適所に形成した切欠開口部１１より、防火扉２００側に取り付けられる係合金具Ｋを拘束するフックプレート２を露出させた防火扉用自動閉鎖装置において、切欠開口部１１には、フックプレート２側に延びて切欠開口部１１の隙間を塞ぐための遮蔽片Ｈを形成している。【選択図】図１
2005307654.tif 000002
【特許請求の範囲】
【請求項１】
壁面などに取り付けられる本体ハウジングの適所に切欠開口部を形成し、該切欠開口部より、防火扉側に取り付けられる係合金具を拘束するフックプレートを露出させた防火扉用自動閉鎖装置において、
上記切欠開口部には、上記フックプレート側に延びて、該切欠開口部の隙間を塞ぐための遮蔽片を形成していることを特徴とする防火扉用自動閉塞装置。
【請求項２】
請求項１において、
上記遮蔽片は、上記本体ハウジングの上記切欠開口部に対応する部分の一部を、上記フックプレート側に延出させ、折り曲げて形成していることを特徴とする防火扉用自動閉鎖装置。
【発明の詳細な説明】
【技術分野】
【０００１】
本発明は、防火扉を待機状態で保持し、火災発生時等には電気信号若しくは手動操作により閉鎖する防火扉用自動閉鎖装置に関する。
【０００２】
この種の防火扉は、火災の拡大を防止するため建物の通路の開口部などに設けられ、係合金具を取り付けた防火扉本体と、壁面側等に取り付けられて、防火扉側の係合金具を拘束するフックプレートを備えた防火扉用自動閉鎖装置とで構成されている。
【０００３】
下記特許文献１は、このような防火扉の自動閉鎖装置を開示している。
【特許文献１】特公平０７−６８８１１号公報
【発明の開示】
【発明が解決しようとする課題】
【０００４】
図４は、従来の防火扉用自動閉鎖装置の拡大部分斜視図、図５は防火扉の構成図である。
【０００５】
防火扉２００は、通常時は壁面に形成された凹所２１０に、取付プレートによって収納され、自動閉鎖装置Ｒ´の本体ハウジング１００の切欠開口部１０１より露出させたフックプレート１０２で防火扉２００側に設けた係合金具Ｋを拘束した状態で、壁面の凹所２１０に収容保持されており、火災発生時等に、自動閉鎖装置Ｒ´の本体ハウジング１００に内蔵したソレノイドなどを駆動してフックプレート１０２が係合金具Ｋを開放すると、防火扉２００はドアクローザなどによって通路の開口部２２０を閉鎖する構造となっている。
【０００６】
さらに、このような構造は、フックプレート２００と切欠開口部１０１との間の隙間が大きいため、その隙間から本体ハウジング１００内部に埃やガス等の腐食物質が流入し、そのために動作の安定性や自動閉鎖装置の商品寿命を低下させるなどの問題があった。
【０００７】
本発明は、このような事情を考慮して提案されたもので、防火扉を開放する際に本体ハウジングの切欠開口部の縁端などで受ける衝撃を緩和させ、動作の安定性や高寿命化が図れる防火扉用自動閉鎖装置を提供することを目的とする。
【０００８】
上記目的を達成するために、本発明の請求項１では、壁面などに取り付けられる本体ハウジングの適所に切欠開口部を形成し、その切欠開口部より、防火扉側に取り付けられる係合金具を拘束するフックプレートを露出させた防火扉用自動閉鎖装置において、上記切欠開口部には、上記フックプレート側に延びて上記切欠開口部の隙間を塞ぐための遮蔽片を形成した防火扉用自動閉塞装置を提案する。
【０００９】
請求項２では、請求項１において、上記遮蔽片は、上記本体ハウジングの上記切欠開口部に対応する部分の一部を、上記フックプレート側に延出させ、折り曲げて形成している防火扉用自動閉鎖装置を提案する。
【発明の効果】
【００１０】
本発明の請求項１によれば、本体ハウジングに形成される切欠開口部には、フックプレート側に延びて切欠開口部の隙間を塞ぐ遮蔽片を形成しているので、本体ハウジングに埃やガス等の腐食物資が流入するおそれが少ない。そのため、動作の安定性や高寿命化が図れる。
【００１１】
請求項２によれば、遮蔽片は、本体部ハウジングの切欠開口部に対応する部分の一部を、フックプレート側に延出させ、折り曲げて形成しているので、加工が容易である。
【発明を実施するための最良の形態】
【００１２】
図１（ａ）は本発明の防火扉用自動閉鎖装置の要部をなす本体ハウジングの外観図、図１（ｂ）は切欠開口部の部分拡大図である。また、図２は、防火扉用自動閉鎖装置の全体構成を示す分解斜視図である。
図において、Ｒは防火扉用自動閉鎖装置、１は本体ハウジング、１１は本体ハウジング１に、防火扉２００側に取り付けられた係合金具Ｋ（図５参照）を引き込むために切欠形成された切欠開口部であり、この切欠開口部１１には、フックプレート２の上、下から、フックプレート２側に遮蔽片Ｈが延びるように延設されており、フックプレート２は、係合金具Ｋを拘束するフック部２ｂを設けている。なお、８は後述する手動開放力調整ネジである。
【００１３】
防火扉用自動閉鎖装置Ｒは、従来の自動閉鎖装置と同様にして、壁面に形成された凹所２１０（図５参照）に、取付プレートＰ１を用いて本体ハウジング１を埋め込み、その上から化粧プレートＰ２を取付プレートＰ１にネジＰ２２で固定して取付けられており、化粧プレートＰ２の孔部Ｐ２１より、本体ハウジング１の前面部を露出させ、切欠開口部１１を露見させた構造となっている。
【００１４】
本発明の防火扉用自動閉鎖装置Ｒは、本体ハウジング１の構造、特に、本体ハウジング１に形成された切欠開口部１１に特徴があり、この切欠開口部１１はフックプレート２側に延びて切欠開口部１１の隙間を塞ぐための遮蔽片Ｈを設けている。
【００１５】
また、切欠開口部１１の縁端は、切口が露出せず、遮蔽片Ｈで覆われているので、防火扉２００側の係合金具Ｋをフックプレート２に押し込んで拘束させる際に、係合金具Ｋを遮蔽片Ｈで受け止めることができ、衝撃を緩和できる。そのため係合金具Ｋによって損傷を受けることもなく、荷重に耐えることができる。
その結果、ハウジング本体１に内蔵させているリンク軸等を補強することもなくなり、材料加工の方法も配慮を要せず、コスト低減が図れる。
【００１６】
なお、加工方法は上記に限定されるものではなく、例えば、遮蔽片Ｈは本体の切欠開口部１１に溶接やビス止めなどで遮蔽部材を固着して形成してもよい。
【００１７】
ついで、本体ハウジング１の内部構造を説明する。
図３は、本体ハウジングの内部構造を示し、ラッチ機構３により係合金具Ｋが拘束されている場合の状態を示している。
図中、２はフック部２ｂと、ラッチのための突出部２ａを設けたフックプレート、３はフックプレート２の突出部２ｂに係止される凹所３ａを形成したラッチレバー３０に、ラッチ開放ばね７を付勢されたリンク部材３１，３２を取り付けて構成される。
【００１８】
Ｓ１はラッチ開放時の回動支点、Ｓ２はフックプレート２に拘束されている係合金具Ｋを引っ張って手動で開放させる時の回動支点、Ｓ３はラッチレバー３０の回動支点であり、フックプレート２に形成した突出部２ａとラッチレバー３０に形成した係止凹所３ａは、フックプレート２を、支点Ｓ１を中心として時計方向に回動させたときには、さらに強く係止され、支点Ｓ２を中心として時計方向に回動させたときには、容易に係止が解除されるように、それらの形状が特定されている。
【００１９】
フックプレート２のフック部２ｂで係合金具Ｋを拘束し、防火扉２００を壁面の凹所２１０に収納保持しているときは、本体ハウジング１の内部は図３のような状態になっている。
すなわち、この状態では、ラッチ開放支点Ｓ１を支点とし、ばね６の弾性力ｆ１で常時時計方向への回動力が付与されているフックプレート２の突出部２ａは、ラッチ機構３のラッチレバー３０の係止凹所３ａに係止され回動不能になっている。
この状態において、ソレノイド（不図示）が駆動されると、リンク部材３１，３２はソレノイドのレバーＳによってＦ´方向の力を受けるので、一文字形に連結されたリンク部材３１，３２が、リンクばね７の弾性力ｆ２によって逆「へ」字形に折れ曲がり（部分拡大図参照）、ラッチレバー３０は、支点Ｓ３を中心にして反時計方向に回動し、このとき、フックプレート２の突出部２ａは、ラッチレバー３０の係止凹所３ａから抜け出る。すると、フックプレート２は、開放ばね６の弾性力ｆ１によって支点Ｓ１を中心として時計方向に回動して、ラッチ解除の状態となり、この状態では、係合金具Ｋはフックプレート２のフック部２ｂから開放されるので、防火扉２００は閉鎖される。
【００２０】
以上は、ソレノイドを駆動して防火扉を閉鎖する動作であるが、このような防火扉用自動閉鎖装置Ｒは、停電時などのときにも安全に閉鎖できるように、防火扉を手動で引っ張っても閉鎖できるようになっている。
その場合の動作を説明すると、防火扉２００を引っ張って、係合金具Ｋをフックプレート２から引き出す（矢印Ｆで示す方向）と、フックプレート２には、支点Ｓ１、支点Ｓ２を中心とした回転モーメントが加わるが、フックプレート２の突出部２ａとラッチレバー３０の係止凹所３ａとは、支点Ｓ１を中心した回動を阻止しても、支点Ｓ２を中心とした回動を許容する形状に特定されているので、フックプレート２を荷重プレート４に加えられる手動開放調整ばね５の弾性力ｆ３に抗する強い力で引っ張れば、フックプレート２の突出部２ａは、ラッチレバー３０の係止凹所３ａから外れる。
【００２１】
その結果、リンクばね７はフックプレート２を退避させるので、フックプレート２は開放ばね６の弾性力ｆ１と、自動開放力調整ばね５の弾性力ｆ３とがバランスする位置まで支点Ｓ１を中心として時計方向に回動して、ラッチ解除の状態となり、この状態では、フックプレート２は、フック部２ｂで拘束していた係合金具Ｋを開放するので、防火扉２００は、閉鎖されることになる。
【図面の簡単な説明】
【００２２】
【図１】（ａ）本発明の防火扉用自動閉鎖装置の外観図、（ｂ）防火扉用自動閉鎖装置の本体ハウジングの要部拡大図である。
【図２】本発明の防火扉用自動閉鎖装置の分解斜視図である。
【図３】本体ハウジングの内部構造を示す図である。
【図４】従来の防火扉用自動閉鎖装置における切欠開口部の部分拡大図
【図５】防火扉の構成を説明する図
【符号の説明】
【００２３】
Ｒ    防火扉用自動閉鎖装置
１    本体ハウジング
１１  切欠開口部
Ｈ    遮蔽片
２    フックプレート
Ｋ    係合金具
２００    防火扉
【図１】
2005307654.tif 000003
【図２】
2005307654.tif 000004
【図３】
2005307654.tif 000005
【図４】
2005307654.tif 000006
【図５】
2005307654.tif 000007